【手続補正書】
【提出日】平成17年11月10日(2005.11.10)
【手続補正１】
【補正対象書類名】明細書
【補正対象項目名】発明の名称
【補正方法】変更
【補正の内容】
【発明の名称】電子アルバム公開システム、電子アルバム管理装置、電子アルバム管理方法及びプログラム
【手続補正２】
【補正対象書類名】明細書
【補正対象項目名】特許請求の範囲
【補正方法】変更
【補正の内容】
【特許請求の範囲】
【請求項１】  ネットワークを介して電子アルバム管理装置から通信端末へ電子アルバムを公開する電子アルバム公開システムであって、
前記電子アルバム管理装置は、
電子アルバムをＩＤと対応付けて記憶する電子アルバム記憶手段と、
複数の画像データを前記電子アルバム記憶手段により記憶された電子アルバムと対応付けて記憶する画像データ記憶手段と、
前記電子アルバム記憶手段により記憶されたＩＤに所定の付加情報を付加することによって、前記ＩＤに対応付けられた電子アルバムのアクセスコードを生成する生成手段を備え、
前記通信端末は、
前記生成手段により生成されたアクセスコードを取得する取得手段と、
前記取得手段により取得されたアクセスコードを前記電子アルバム管理装置へ送信するアクセスコード送信手段を備え、
前記電子アルバム管理装置は、さらに、
前記アクセスコード送信手段により送信されたアクセスコードが正当であるか否かを判定する判定手段と、
前記判定手段により正当と判定された前記アクセスコードに含まれるＩＤと対応する電子アルバムを、前記電子アルバム記憶手段から検索する検索手段と、
前記検索手段により検索された電子アルバムに対応付けられた複数の画像データとを表示させるための表示情報を前記通信端末へ送信する表示情報送信手段を備えたことを特徴とする電子アルバム公開システム。
【請求項２】  電子アルバムをＩＤと対応付けて記憶する電子アルバム記憶手段と、
前記電子アルバム記憶手段により記憶された電子アルバムを複数の画像データと対応付けて記憶する画像データ記憶手段と、
前記電子アルバム記憶手段により記憶されたＩＤに所定の付加情報を付加することによって、前記ＩＤに対応付けられた電子アルバムのアクセスコードを生成する生成手段と、
前記生成手段により生成されたアクセスコードをネットワーク経由で通信端末から受信する受信手段と、
前記受信手段により受信されたアクセスコードが正当であるか否かを判定する判定手段と、
前記判定手段により正当と判定された前記アクセスコードに含まれるＩＤと対応する電子アルバムを、前記電子アルバム記憶手段から検索する検索手段と、
前記検索手段により検索された電子アルバムと、当該電子アルバムに対応付けられた複数の画像データとを表示させるための表示情報を前記通信端末へ送信する表示情報送信手段を備えたことを特徴とする電子アルバム管理装置。
【請求項３】  前記電子アルバム記憶手段はさらに、前記電子アルバムをパスワードと対応付けて記憶し、
前記判定手段により正当と判定された前記アクセスコードに含まれるＩＤと対応する電子アルバムに対応付けられたパスワードの入力要求を前記通信端末へ送信する要求送信手段をさらに有し、
前記要求送信手段により送信された入力要求に応答して前記通信端末から正しいパスワードが入力された場合に、前記表示情報送信手段は前記表示情報を前記通信端末へ送信することを特徴とする請求項２記載の電子アルバム管理装置。
【請求項４】  前記判定手段は、前記アクセスコード送信手段により送信されたアクセスコードに含まれる前記所定の付加情報に基づき、前記判定を行うことを特徴とする請求項２記載の電子アルバム管理装置。
【請求項５】  前記電子アルバム記憶手段により記憶されたＩＤに基づき、前記所定の付加情報を算出する算出手段をさらに備えたことを特徴とする請求項２記載の電子アルバム管理装置。
【請求項６】  前記生成手段により生成されたアクセスコードを電子メールに記載して送信するメール送信手段をさらに備えたことを特徴とする請求項２記載の電子アルバム管理装置。
【請求項７】  電子アルバムをＩＤと対応付けて電子アルバム記憶手段に記憶する電子アルバム記憶ステップと、
複数の画像データを前記電子アルバム記憶ステップにて記憶された電子アルバムと対応付けて画像データ記憶手段に記憶する画像データ記憶ステップと、
前記電子アルバム記憶ステップにて記憶されたＩＤに所定の付加情報を付加することによって、前記ＩＤに対応付けられた電子アルバムのアクセスコードを生成する生成ステップと、
前記生成ステップにて生成されたアクセスコードをネットワーク経由で通信端末から受信する受信ステップと、
前記受信ステップにて受信されたアクセスコードが正当であるか否かを判定する判定ステップと、
前記判定ステップにより正当と判断された前記アクセスコードに含まれるＩＤと対応する電子アルバムを、前記電子アルバム記憶手段から検索する検索ステップと、
前記検索ステップにて検索された電子アルバムに対応付けられた複数の画像データとを表示させるための表示情報を前記通信端末へ送信する表示情報送信ステップを備えたことを特徴とする電子アルバム管理方法。
【請求項８】  コンピュータに、
電子アルバムをＩＤと対応付けて電子アルバム記憶手段に記憶する電子アルバム記憶ステップと、
複数の画像データを前記電子アルバムと対応付けて画像データ記憶手段に記憶する画像データ記憶ステップと、
前記電子アルバム記憶ステップにて記憶されたＩＤに所定の付加情報を付加することによって、前記ＩＤに対応付けられた電子アルバムのアクセスコードを生成する生成ステップと、
前記生成ステップにて生成されたアクセスコードをネットワーク経由で通信端末から受信する受信ステップと、
前記受信ステップにて受信されたアクセスコードが正当であるか否かを判定する判定ステップと、
前記判定ステップにより正当と判定された前記アクセスコードに含まれるＩＤと対応する電子アルバムを、前記電子アルバム記憶手段から検索する検索ステップと、
前記検索ステップにて検索された電子アルバムに対応付けられた複数の画像データとを表示させるための表示情報を前記通信端末へ送信する表示情報送信ステップを実行させるためのプログラム。
【請求項９】  前記電子アルバム記憶ステップが、さらに、前記電子アルバムをパスワードと対応付けて前記電子アルバム記憶手段に記憶させるとともに、
前記判定ステップにて正当と判定された前記アクセスコードに含まれるＩＤと対応する電子アルバムに対応付けられたパスワードの入力要求を前記通信端末へ送信する要求送信ステップをさらに有し、
前記表示情報送信ステップが、前記要求送信ステップにて送信された入力要求に応答して前記通信端末から正しいパスワードが入力された場合に、前記表示情報を前記通信端末へ送信することを特徴とする請求項８記載のプログラム。
【請求項１０】  前記判定ステップが、前記アクセスコード送信ステップにて送信されたアクセスコードに含まれる所定の付加情報に基づき、前記判定を行うことを特徴とする請求項８記載のプログラム。
【請求項１１】  前記電子アルバム記憶手段に記憶されたＩＤに基づき、前記所定の付加情報を算出する算出ステップをさらに有することを特徴とする請求項８記載のプログラム。
【請求項１２】  前記生成ステップにて生成されたアクセスコードを電子メールに記載して送信するメール送信ステップをさらに有することを特徴とする請求項８記載のプログラム。
【手続補正３】
【補正対象書類名】明細書
【補正対象項目名】０００１
【補正方法】変更
【補正の内容】
【０００１】
【発明の属する技術分野】
本発明は、電子アルバム公開システム、電子アルバム管理装置、電子アルバム管理方法及びプログラムに関し、特に少ない処理負荷でデータファイルへの不正なアクセスを排除可能な電子アルバム公開システム、電子アルバム管理装置、電子アルバム管理方法及びプログラムに関する。
【手続補正４】
【補正対象書類名】明細書
【補正対象項目名】００１１
【補正方法】変更
【補正の内容】
【００１１】
【課題を解決するための手段】
すなわち、本発明の要旨は、ネットワークを介して電子アルバム管理装置から通信端末へ電子アルバムを公開する電子アルバム公開システムであって、電子アルバム管理装置は、電子アルバムをＩＤと対応付けて記憶する電子アルバム記憶手段と、複数の画像データを電子アルバム記憶手段により記憶された電子アルバムと対応付けて記憶する画像データ記憶手段と、電子アルバム記憶手段により記憶されたＩＤに所定の付加情報を付加することによって、ＩＤに対応付けられた電子アルバムのアクセスコードを生成する生成手段を備え、通信端末は、生成手段により生成されたアクセスコードを取得する取得手段と、取得手段により取得されたアクセスコードを電子アルバム管理装置へ送信するアクセスコード送信手段を備え、電子アルバム管理装置は、さらに、アクセスコード送信手段により送信されたアクセスコードが正当であるか否かを判定する判定手段と、判定手段により正当と判定されたアクセスコードに含まれるＩＤと対応する電子アルバムを、電子アルバム記憶手段から検索する検索手段と、検索手段により検索された電子アルバムに対応付けられた複数の画像データとを表示させるための表示情報を通信端末へ送信する表示情報送信手段を備えたことを特徴とする電子アルバム公開システムに存する。
【手続補正５】
【補正対象書類名】明細書
【補正対象項目名】００１２
【補正方法】変更
【補正の内容】
【００１２】
また、本発明の別の要旨は、電子アルバムをＩＤと対応付けて記憶する電子アルバム記憶手段と、電子アルバム記憶手段により記憶された電子アルバムを複数の画像データと対応付けて記憶する画像データ記憶手段と、電子アルバム記憶手段により記憶されたＩＤに所定の付加情報を付加することによって、ＩＤに対応付けられた電子アルバムのアクセスコードを生成する生成手段と、生成手段により生成されたアクセスコードをネットワーク経由で通信端末から受信する受信手段と、受信手段により受信されたアクセスコードが正当であるか否かを判定する判定手段と、判定手段により正当と判定されたアクセスコードに含まれるＩＤと対応する電子アルバムを、電子アルバム記憶手段から検索する検索手段と、検索手段により検索された電子アルバムと、当電子アルバムに対応付けられた複数の画像データとを表示させるための表示情報を通信端末へ送信する表示情報送信手段を備えたことを特徴とする電子アルバム管理装置に存する。
【手続補正６】
【補正対象書類名】明細書
【補正対象項目名】００１３
【補正方法】変更
【補正の内容】
【００１３】
また、本発明の別の要旨は、電子アルバムをＩＤと対応付けて電子アルバム記憶手段に記憶する電子アルバム記憶ステップと、複数の画像データを電子アルバム記憶ステップにて記憶された電子アルバムと対応付けて画像データ記憶手段に記憶する画像データ記憶ステップと、電子アルバム記憶ステップにて記憶されたＩＤに所定の付加情報を付加することによって、ＩＤに対応付けられた電子アルバムのアクセスコードを生成する生成ステップと、生成ステップにて生成されたアクセスコードをネットワーク経由で通信端末から受信する受信ステップと、受信ステップにて受信されたアクセスコードが正当であるか否かを判定する判定ステップと、判定ステップにより正当と判断されたアクセスコードに含まれるＩＤと対応する電子アルバムを、電子アルバム記憶手段から検索する検索ステップと、検索ステップにて検索された電子アルバムに対応付けられた複数の画像データとを表示させるための表示情報を通信端末へ送信する表示情報送信ステップを備えたことを特徴とする電子アルバム管理方法に存する。
【手続補正７】
【補正対象書類名】明細書
【補正対象項目名】００１４
【補正方法】変更
【補正の内容】
【００１４】
また、本発明の別の要旨は、コンピュータに、電子アルバムをＩＤと対応付けて電子アルバム記憶手段に記憶する電子アルバム記憶ステップと、複数の画像データを電子アルバムと対応付けて画像データ記憶手段に記憶する画像データ記憶ステップと、電子アルバム記憶ステップにて記憶されたＩＤに所定の付加情報を付加することによって、ＩＤに対応付けられた電子アルバムのアクセスコードを生成する生成ステップと、生成ステップにて生成されたアクセスコードをネットワーク経由で通信端末から受信する受信ステップと、受信ステップにて受信されたアクセスコードが正当であるか否かを判定する判定ステップと、判定ステップにより正当と判定されたアクセスコードに含まれるＩＤと対応する電子アルバムを、電子アルバム記憶手段から検索する検索ステップと、検索ステップにて検索された電子アルバムに対応付けられた複数の画像データとを表示させるための表示情報を通信端末へ送信する表示情報送信ステップを実行させるためのプログラムに存する。
【手続補正８】
【補正対象書類名】明細書
【補正対象項目名】０１６２
【補正方法】変更
【補正の内容】
【０１６２】
【発明の効果】
以上説明したように、本発明によれば、不正ユーザはアクセスコードを類推するのが困難になり、電子アルバムへの不正なアクセスを防ぐことができるという効果が得られる。